(57)【要約】【課題】監視対象装置の処理を軽減することのできる監視システムを提供する。【解決手段】監視対象装置は、自装置の動作状態が変化すると、その旨を示す状態情報を、状態情報の送信順序を示す識別情報とともに、複数の監視装置に送信する。複数の監視装置は互いに通信可能であり、それぞれの監視装置が、監視対象装置から受信した管理情報を保持するとともに、保持した管理情報の識別情報に欠落があるか否かを判断し、欠落がある場合は、その欠落した識別情報の管理情報を他の監視装置から取得する。【選択図】図１
2009206731.tif 000002
【特許請求の範囲】
【請求項１】
監視対象装置と、該監視対象装置にネットワークを介して接続される複数の監視装置とを有する監視システムであって、
前記監視対象装置は、自装置の動作状態が変化すると、その旨を示す状態情報を、該状態情報の送信順序を示す識別情報とともに、前記複数の監視装置に送信し、
前記複数の監視装置は互いに通信が可能であり、それぞれの監視装置が、前記監視対象装置から受信した管理情報を保持するとともに、保持した管理情報の識別情報に欠落があるか否かを判断し、欠落がある場合は、その欠落した識別情報の管理情報を他の監視装置から取得する、監視システム。
【請求項２】
前記複数の監視装置のそれぞれは、要求元である他の監視装置から、欠落した識別情報を含む同期確認信号を受信すると、該同期確認信号に含まれている前記欠落した識別情報が自装置に保持した管理情報の識別情報と一致するか否かを判断し、一致した場合は、その一致した識別情報の管理情報を前記要求元の他の監視装置に送信する、請求項１に記載の監視システム。
【請求項３】
前記複数の監視装置のそれぞれは、前記同期確認信号に含まれている前記欠落した識別情報が自装置に保持した管理情報の識別情報と一致しない場合は、その旨を示す不一致信号を前記要求元の他の監視装置に送信し、
前記要求元の他の監視装置は、前記不一致信号を受信すると、前記欠落した識別情報の管理情報を前記監視対象装置から取得する、請求項２に記載の監視システム。
【請求項４】
前記複数の監視装置のそれぞれは、自装置で保持した管理情報の識別情報を含む同期未確認信号を定期的に前記他の監視装置に送信し、
前記他の監視装置は、前記同期未確認信号を受信すると、前記同期未確認信号の識別情報が自装置で保持した管理情報の識別情報と一致するか否かを判断し、一致しない場合は、一致しない識別情報を含む管理情報を、前記同期未確認信号の送信元である監視装置から取得する、請求項１から３のいずれか１項に記載の監視システム。
【請求項５】
前記他の監視装置は、前記一致しない識別情報を含む管理情報を前記同期未確認信号の送信元である監視装置から取得できない場合に、該管理情報を前記監視対象装置から取得する、請求項４に記載の監視システム。
【請求項６】
前記複数の監視装置のそれぞれは、
自装置に保持した管理情報と該管理情報が前記他の監視装置に保持されていることを確認したか否かを示すフラグとを関連付けて格納するためのテーブルを有し、前記テーブルに格納されているフラグを定期的に参照し、前記他の監視装置に保持されていることが確認されていない管理情報を含む同期未確認信号を前記他の監視装置に送信し、該同期未確認信号の応答として識別情報を前記他の監視装置から受信すると、該識別情報を含む管理情報を前記他の監視装置に送信し、
前記他の監視装置は、
前記同期未確認信号の送信元である監視装置から前記同期未確認信号を受信すると、前記同期未確認信号に含まれる管理情報が自装置に保持した管理情報と一致するか否かを判断し、一致しない場合は、その一致しない管理情報に含まれる識別情報を前記応答として前記同期未確認信号の送信元である監視装置に送信する、請求項４または５に記載の監視システム。
【請求項７】
前記複数の監視装置は、前記ネットワークの一部を用いて互いに通信を行なう、請求項１から６のいずれか１項に記載の監視システム。
【請求項８】
前記複数の監視装置は、専用線を介して接続されており、該専用線を介して互いに通信を行なう、請求項１から６のいずれか１項に記載の監視システム。
【請求項９】
前記監視対象装置は、無線ネットワークを形成するための無線アクセス装置である、請求項１から８のいずれか１項に記載の監視システム。
【請求項１０】
自装置の動作状態が変化すると、その旨を示す状態情報を、該状態情報の送信順序を示す識別情報とともにネットワーク上に送出する監視対象装置が、前記ネットワークを介して接続される監視装置であって、
前記監視対象装置から受信した管理情報が格納される記憶部と、
前記記憶部に格納された管理情報の識別情報に欠落があるか否かを判断する欠落判断部と、
前記欠落判断部で欠落があると判断された場合、その欠落した識別情報の管理情報を他の監視装置から取得する補完部と、を有する監視装置。
【請求項１１】
前記欠落判断部は、要求元である他の監視装置から受信した同期確認信号に含まれている前記欠落した識別情報が前記記憶部に格納された管理情報の識別情報と一致するか否かを判断し、
前記補完部は、前記欠落判断部で一致したと判断された場合、その一致した識別情報の管理情報を前記要求元の他の監視装置に送信する、請求項１０に記載の監視装置。
【請求項１２】
前記補完部は、前記欠落判断部で前記同期確認信号に含まれている前記欠落した識別情報が前記記憶部に格納された管理情報の識別情報と一致しないと判断された場合は、その旨を示す不一致信号を前記要求元の他の監視装置に送信する、請求項１１に記載の監視装置。
【請求項１３】
前記補完部は、前記欠落した識別情報を含む管理情報を前記他の監視装置から取得することができない場合は、前記欠落した識別情報を含む管理情報を前記監視対象装置から取得する、請求項１２に記載の監視装置。
【請求項１４】
前記欠落判断部は、定期的に前記他の監視装置から受信した同期未確認信号に含まれる識別情報が記憶部に格納されている管理情報の識別情報と一致するか否かを判断し、
前記補完部は、前記欠落判断部で一致しないと判断された場合、その識別情報を含む管理情報を、前記同期未確認信号の送信元である監視装置から取得する、請求項１０から１３のいずれか１項に記載の監視装置。
【請求項１５】
前記補完部は、前記同期未確認信号の送信元である監視装置から、その識別情報を含む管理情報を取得できない場合、その識別情報を含む管理情報を前記監視対象装置から取得する、請求項１４に記載の監視装置。
【請求項１６】
前記補完部は、前記同期未確認信号を定期的に前記他の監視装置に送信し、前記他の監視装置から識別情報を受信すると、受信した識別情報を含む管理情報を前記他の監視装置に送信する、請求項１４または１５に記載の監視装置。
【請求項１７】
前記監視装置は、前記記憶部に格納されている管理情報と該管理情報が前記他の監視装置の記憶部に格納されていることを確認したか否かを示すフラグとを関連付けてテーブルに格納するテーブル制御部を更に有し、
前記テーブル制御部は、前記テーブルに格納されているフラグを定期的に参照し、
前記補完部は、前記他の監視装置に保持が確認されていない管理情報を含む同期未確認信号を前記他の監視装置に送信し、該同期未確認信号の応答として識別情報を前記他の監視装置から受信すると、前記識別情報を含む管理情報を前記他の監視装置に送信する、請求項１４から１６のいずれか１項に記載の監視装置。
【請求項１８】
前記欠落判断部は、前記同期未確認信号の送信元である監視装置から受信した前記同期未確認信号の管理情報が自装置に保持した管理情報と一致するか否かを判断し、
前記補完部は、一致しない場合は、一致しない管理情報に含まれる識別情報を、前記同期未確認信号の送信元である監視装置に送信し、前記同期未確認信号の送信元である監視装置から前記一致しない管理情報を受信し、
前記テーブル制御部は、前記補完部で受信された前記一致しない管理情報を前記テーブルに格納する、請求項１７に記載の監視装置。
【請求項１９】
自装置の動作状態が変化すると、その旨を示す状態情報を、該状態情報の送信順序を示す識別情報とともにネットワーク上に送出する監視対象装置が、前記ネットワークを介して接続される監視装置にて行われる、前記監視対象装置の動作状態を監視するための監視方法であって、
テーブル制御部が前記監視対象装置から受信した管理情報を記憶部に格納し、
欠落判断部が前記記憶部に格納した管理情報の識別情報に欠落があるか否かを判断し、
補完部が、前記欠落判断部で欠落があると判断された場合、その欠落した識別情報の管理情報を他の監視装置から取得する、監視方法。
【請求項２０】
自装置の動作状態が変化すると、その旨を示す状態情報を、該状態情報の送信順序を示す識別情報とともにネットワーク上に送出する監視対象装置が、前記ネットワークを介して接続される監視装置にて用いられるプログラムであって、
前記監視対象装置から受信した管理情報を記憶部に格納する手順と、
前記記憶部に格納した管理情報の識別情報に欠落があるか否かを判断する手順と、
欠落があると判断した場合、その欠落した識別情報の管理情報を他の監視装置から取得する手順と、をコンピュータに実行させるためのプログラム。
【発明の詳細な説明】
【技術分野】
【０００１】
本発明は、監視装置を用いて監視対象装置の動作状態を監視する監視システムに関し、特にＳＮＭＰ（Simple Network Management Protocol）を用いて無線アクセス装置の動作状態を監視する監視装置に関する。
【背景技術】
【０００２】
無線基地局間の通信ラインまたはビル間の通信ラインを構築する場合、有線ネットワークに比べて通信ラインの構築に要する時間とコストを低減できることから、無線ネットワークが用いられることがある。この無線ネットワークによる通信ラインの構築は無線アクセス装置によってなされる。無線アクセス装置は、無線基地局やビルなどの局舎に設置され、２台１組で無線ネットワークを形成する構成になっている。このような無線アクセス装置は有線ネットワークを介して監視装置に更に接続され、監視装置によって無線アクセス装置の監視が行なわれる（特許文献１参照）。
【０００３】
図９は特許文献１に記載された監視システムの構成を示す図である。監視システムは、監視装置９０および無線アクセス装置９１，９２を有する。監視装置９０は有線ネットワーク９３を介して無線アクセス装置９１に接続される。無線アクセス装置９１と無線アクセス装置９２とは無線ネットワーク９６を介して接続される。
【０００４】
無線アクセス装置９１は局舎９４に設置され、無線アクセス装置９２は局舎９５に設置される。
【０００５】
監視装置９０は無線アクセス装置９１と無線アクセス装置９２の内部状態を監視する。具体的には、監視装置９０は、無線アクセス装置９１，９２におけるそれぞれの、無線通信の接続や切断の使用状況、起動、無線通信の通信速度に関する設定などの内部状態を監視する。監視装置９０による無線アクセス装置９１，９２の監視には、ＳＮＭＰ（Simple Network Management Protocol）が用いられる。ＳＮＭＰは、無線アクセス装置の内部状態を検出するためのプロトコルであり、ＵＤＰ（User Datagram Protocol）を使用したコネクションレス型のプロトコルである。ＳＮＭＰを用いた監視装置９０による無線アクセス装置９１，９２の内部状態の検出はＴＲＡＰメッセージの受信またはＧＥＴメッセージの送信によって行なわれる。
【０００６】
無線アクセス装置９１，９２のそれぞれは、使用状況、起動、設定などの内部状態が変化すると、自装置の内部状態を示す管理情報をＴＲＡＰメッセージとして自律的に監視装置９０に送信する。また、監視装置９０は、無線アクセス装置９１，９２のそれぞれにＧＥＴメッセージを送信し、ＧＥＴメッセージの応答として無線アクセス装置９１，９２から管理情報を受信する。監視装置９０は、無線アクセス装置９１，９２から管理情報を受信すると、無線アクセス装置９１，９２の内部状態を表示する。
【特許文献１】特開２００６−２５３８４９号公報
【発明の開示】
【発明が解決しようとする課題】
【０００７】
このような監視装置では、有線ネットワークの輻輳などの障害が原因で管理情報が欠落する。そして、その障害が長時間に亘ると、大量の管理情報が欠落してしまう。管理情報が大量に欠落した場合、欠落した大量の管理情報を無線アクセス装置から取得するために、監視装置は大量のＧＥＴメッセージを無線アクセス装置に送信する。この場合、無線アクセス装置は、監視装置から大量のＧＥＴメッセージを受信すると、受信した大量のＧＥＴメッセージを処理しなければならない。そのため、無線アクセス装置には、大量のＧＥＴメッセージを処理するための高い処理能力が要求されていた。
【０００８】
本発明の目的は、上記課題を解決することのできる、監視システム、ネットワーク監視方法、監視装置、およびプログラムを提供することにある。
【課題を解決するための手段】
【０００９】
上記目的を達成するために、本発明の監視システムは、
監視対象装置と、該監視対象装置にネットワークを介して接続される複数の監視装置とを有する監視システムであって、
前記監視対象装置は、自装置の動作状態が変化すると、その旨を示す状態情報を、該状態情報の送信順序を示す識別情報とともに、前記複数の監視装置に送信し、
前記複数の監視装置は互いに通信可能であり、それぞれの監視装置が、前記監視対象装置から受信した管理情報を保持するとともに、保持した管理情報の識別情報に欠落があるか否かを判断し、欠落がある場合は、その欠落した識別情報の管理情報を他の監視装置から取得する。
【００１０】
また、本発明の監視装置は、
自装置の動作状態が変化すると、その旨を示す状態情報を、該状態情報の送信順序を示す識別情報とともにネットワーク上に送出する監視対象装置が、前記ネットワークを介して接続される監視装置であって、
前記監視対象装置から受信した管理情報が格納される記憶部と、
前記記憶部に格納された管理情報の識別情報に欠落があるか否かを判断する欠落判断部と、
前記欠落判断部で欠落があると判断された場合、その欠落した識別情報の管理情報を他の監視装置から取得する補完部と、を有する。
【００１１】
また、本発明の監視方法は、
自装置の動作状態が変化すると、その旨を示す状態情報を、該状態情報の送信順序を示す識別情報とともにネットワーク上に送出する監視対象装置が、前記ネットワークを介して接続される監視装置にて行われる、前記監視対象装置の動作状態を監視するための監視方法であって、
テーブル制御部が前記監視対象装置から受信した管理情報を記憶部に格納し、
欠落判断部が前記記憶部に格納した管理情報の識別情報に欠落があるか否かを判断し、
補完部が、前記欠落判断部で欠落があると判断された場合、その欠落した識別情報の管理情報を他の監視装置から取得する。
【００１２】
また、本発明のプログラムは、
自装置の動作状態が変化すると、その旨を示す状態情報を、該状態情報の送信順序を示す識別情報とともにネットワーク上に送出する監視対象装置が、前記ネットワークを介して接続される監視装置にて用いられるプログラムであって、
前記監視対象装置から受信した管理情報を記憶部に格納する手順と、
前記記憶部に格納した管理情報の識別情報に欠落があるか否かを判断する手順と、
欠落があると判断した場合、その欠落した識別情報の管理情報を他の監視装置から取得する手順と、をコンピュータに実行させる。
【発明の効果】
【００１３】
本発明によれば、ネットワーク障害が原因で管理情報が欠落した場合に、監視装置は、ＧＥＴメッセージを監視対象装置に送らなくても、管理情報に含まれる識別情報に基づいて他の監視装置から管理情報を取得することができる。他の監視装置から取得することができた管理情報については、監視装置から監視対象装置へのＧＥＴメッセージの送信が不要となるので、その分、監視対象装置におけるＧＥＴメッセージの処理量が軽減される。このように、監視対象装置におけるＧＥＴメッセージの処理量を軽減することができるので、監視対象装置に要求される処理能力を低く設定することが可能となる、という効果を奏する。
【発明を実施するための最良の形態】
【００１４】
本発明を実施するための形態について図面を参照して詳細に説明する。
【００１５】
（第１の実施形態）
図１は本発明の第１の実施形態における監視システムの構成を示すブロック図である。監視システムは監視装置１，２および監視対象装置である無線アクセス装置３を有する。監視装置１，２は有線ネットワークを介して無線アクセス装置３に接続される。また、監視装置１と監視装置２とは、有線ネットワークを介してお互いに接続される。
【００１６】
無線アクセス装置３は管理情報を保持する。管理情報には、自装置のＩＰ（Internet Protocol）アドレスの情報、状態情報を識別するための識別情報（シーケンス番号）、無線通信の接続や切断の使用状況、再起動、無線通信の通信速度の設定などの状態情報が含まれる。シーケンス番号は、状態情報の送信順序を示す番号である。
【００１７】
監視装置１，２のそれぞれは、有線ネットワークを介して無線アクセス装置３から管理情報を取得する。監視装置１，２による管理情報の取得には、ＳＮＭＰが用いられる。
【００１８】
監視装置１，２のそれぞれは、無線アクセス装置３からＧＥＴメッセージとして管理情報を取得すると、シーケンス番号から管理情報の欠落を判断し、欠落した管理情報をお互いに補完する。具体的には、監視装置１は、無線アクセス装置３から管理情報を取得すると、管理情報に含まれるシーケンス番号が連番であるか否かを判断し、連番でないと判断すれば、欠落したシーケンス番号を含む管理情報を監視装置２から補完する。なお、監視装置２が無線アクセス装置３から管理情報を取得した場合も、上述で説明した同様の補完処理が監視装置２で行なわれる。
【００１９】
また、監視装置１，２のそれぞれは、お互いにシーケンス番号を問い合わせることによって、管理情報の欠落を判断し、欠落した管理情報をお互いに補完する。具体的には、監視装置１は監視装置２に定期的にシーケンス番号を送信することによって、監視装置２と管理情報の問い合わせを行なう。問い合わせを受けた監視装置２は、受信したシーケンス番号が自装置で欠落しているか否かを判断し、シーケンス番号が欠落していれば、欠落したシーケンス番号を含む管理情報を監視装置１から補完する。なお、監視装置２が監視装置１に管理情報の問い合わせを行なった場合も、上述で説明した同様の補完処理が監視装置１で行なわれる。
【００２０】
次に、第１の実施形態の監視システムの具体的な構成および動作を説明する。
【００２１】
図２は本発明の第１の実施形態における監視システムの構成を詳細に示すブロック図である。監視システムは、監視装置１，２、無線アクセス装置３，４、およびルータ機器５，６を有する。
【００２２】
監視装置１はルータ機器５を介して無線アクセス装置３に接続され、監視装置２はルータ機器５，６を介して無線アクセス装置３に接続される。また、監視装置１と監視装置２とはルータ機器５，６を介して接続される。無線アクセス装置３と無線アクセス装置４は無線ネットワーク１３を介してお互いに接続される。
【００２３】
無線アクセス装置３，４のそれぞれは、異なる局舎（不図示）に設置される、無線ネットワークを形成する。また、無線アクセス装置３，４はＳＮＭＰエージェントの機能を有する。ＳＮＭＰエージェントの機能は、使用状況、起動、設定などの自装置の内部状態を管理し、管理情報を提供する機能である。ＳＮＭＰエージェントには、Ｗｉｎｄｏｗｓ（登録商標）などのＯＳ（Operating System）に標準搭載されている一般的なＳＮＭＰエージェントが用いられてもよい。
【００２４】
ＳＮＭＰエージェントの例として、無線アクセス装置３が監視装置１に管理情報を提供する例を説明する。
【００２５】
無線アクセス装置３は、使用状況、起動、設定などの動作状態が変化すると、管理情報を生成する。管理情報は、変化した動作状態を示す状態情報と、自装置のＩＰアドレスと、状態情報を識別するための識別情報と、を含む。そして、無線アクセス装置３はルータ機器５を介してＴＲＡＰメッセージとして管理情報を監視装置１に送信する。ＴＲＡＰメッセージは、無線アクセス装置３が自律的に管理情報を監視装置１に送信するメッセージである。ＴＲＡＰメッセージは、一般的に、起動の検知や無線アクセス装置の異常の検知などに用いられる。
【００２６】
また、無線アクセス装置３は、ルータ機器５を介して監視装置１からＧＥＴメッセージを受信すると、ＧＥＴメッセージのレスポンスとして管理情報を監視装置１に送信する。ＧＥＴメッセージは、監視装置１が管理情報を無線アクセス装置３に要求するメッセージである。ＧＥＴメッセージは、一般的に、ネットワークのトラフィックの監視や無線アクセス装置で使用が可能な磁気ディスクの使用率といったシステムリソースの監視などに用いられる。
【００２７】
監視装置１，２は、無線アクセス装置３，４の動作状態を監視する情報処理装置であり、例えばパーソナルコンピュータやワークステーションなどである。
【００２８】
監視装置１，２はＳＮＭＰマネージャーの機能を有する。ＳＮＭＰマネージャーの機能は、ＳＮＭＰエージェントである無線アクセス装置３，４が保持している管理情報を一元管理する機能である。
【００２９】
監視装置１，２は、ＧＥＴメッセージを無線アクセス装置３，４のそれぞれに送信することによって、無線アクセス装置３，４のそれぞれから管理情報を取得する。また、監視装置１，２は、無線アクセス装置３，４からＴＲＡＰメッセージとして管理情報をそれぞれ取得する。監視装置１，２は、管理情報を取得すると、取得した管理情報を自装置の変更通知管理用テーブルに格納すると共に取得した管理情報を表示部（不図示）に表示する。
【００３０】
また、監視装置１は、監視装置２に割り当てられているＩＰアドレスあるいはＭＡＣ（Media Access Control）アドレスを保持しており、このＩＰアドレスあるいはＭＡＣアドレスを用いて監視装置２へのアクセスが可能になっている。同様に、監視装置２も、監視装置１のＩＰアドレスあるいはＭＡＣアドレスを保持しており、このＩＰアドレスあるいはＭＡＣアドレスを用いて監視装置１へのアクセスが可能になっている。
【００３１】
また、監視装置１は、自装置で欠落した管理情報が監視装置２で取得されていれば、欠落した管理情報を監視装置２から取得する。監視装置１は、欠落した管理情報が監視装置２で取得されていなければ、欠落した管理情報を無線アクセス装置３から取得する。監視装置２も、この監視装置１における欠落した管理情報を取得するための処理と同様な処理が実行可能である。
【００３２】
次に、無線アクセス装置３，４の動作状態が変化したときに生成する管理情報のデータ構造について具体的に説明する。
【００３３】
図３は無線アクセス装置３で生成される管理情報のデータ構造を示す図である。
【００３４】
管理情報は、変数名と、変数名に関連するデータと、で構成される。この構成は変数バインディング(variable binding)と呼ばれる。変数バインディングが用いられることによって、監視装置１，２は一度の要求で全てのデータを取得することができる。変数バインディングを用いると、一回のＧＥＴメッセージで複数のデータの取得が可能となる。これによれば、監視装置１，２からのトラフィック量が低減できる。
【００３５】
変数名に関連するデータとして、ＩＰアドレス情報２０、シーケンス番号情報２１、および状態情報２２がある。
【００３６】
ＩＰアドレス情報２０には、無線アクセス装置３，４に割り当てられているＩＰアドレスが格納される。ここでは、無線アクセス装置３に割り当てられているＩＰアドレス情報２０は「１」である。また、無線アクセス装置４に割り当てられているＩＰアドレス情報２０は「２」である。
【００３７】
シーケンス番号情報２１には、識別情報の一例としてシーケンス番号が、格納される。シーケンス番号の初期値は「１」である。このシーケンス番号は、管理情報の生成ごとに１つずつ増加する。なお、本実施形態では、シーケンス番号に数字を用いる例を示したが、英字、数字と英字の組み合わせなど、管理情報の送信順序を識別できれば、どれを用いてもよい。
【００３８】
状態情報２２には、無線アクセス装置の動作状態を示す情報が格納される。
【００３９】
上述したように、この管理情報は、無線アクセス装置３，４で生成され、監視装置１，２に送られる。そして、監視装置１，２は、この管理情報を取得すると、変更通知管理用テーブルに管理情報を格納する。
【００４０】
以下、監視装置１，２が管理情報を格納するための変更管理用テーブルのデータ構造を詳細に説明する。
【００４１】
図４は監視装置１における変更通知管理用テーブルのデータ構造を示す図である。変更通知管理用テーブルは、フラグ３０、ＩＰアドレス３１、シーケンス番号３２、およびデータ部３３の４つの欄で構成される。
【００４２】
フラグ３０の欄には、管理情報の同期が確認済みであるかを示すフラグ情報が格納される。監視装置１は、フラグ３０に格納されているフラグ情報から、同期の確認が取れている管理情報を判断できる。そして、監視装置１は、同期の確認がとれていない管理情報について、監視装置２に管理情報を問い合わせる。
【００４３】
本実施形態では、同期の確認がとれていない管理情報について、「０」のフラグ情報がフラグ３０の欄に格納される。同期の確認が取れている管理情報については、「１」のフラグ情報がフラグ３０の欄に格納される。
【００４４】
ＩＰアドレス３１の欄には、管理情報に含まれる無線アクセス装置のＩＰアドレス情報２０が格納される。このＩＰアドレス情報によって、監視装置１，２は無線アクセス装置３と無線アクセス装置４とを識別することができる。
【００４５】
監視装置１は、無線アクセス装置３から管理情報を受信すると、管理情報に含まれるＩＰアドレス情報２０（「１」）をＩＰアドレス３１の欄に格納する。また、監視装置１は、無線アクセス装置４から管理情報を受信すると、管理情報に含まれるＩＰアドレス情報２０（「２」）をＩＰアドレス３１の欄に格納する。
【００４６】
シーケンス番号３２の欄には、管理情報に含まれるシーケンス番号情報２１が格納される。
【００４７】
データ部３３の欄には、管理情報に含まれる状態情報２２が格納される。
【００４８】
次に、監視装置の具体的な構成について説明する。
【００４９】
図５は本発明の第１の実施形態における監視装置の構成を示すブロック図である。
【００５０】
監視装置１は、通信部４０、記憶部４１、入力部４２、出力部４３、および制御部４４を有する。制御部４４は通信部４０を介してネットワークに接続される。また、制御部４４は、記憶部４１、入力部４２、出力部４３のそれぞれに接続される。
【００５１】
通信部４０は、通信を行なうためのインタフェースであり、例えばＬＡＮ（Local Area Network）インタフェースなどである。管理情報は通信部４０を介して無線アクセス装置３，４から制御部４４に供給される。また、管理情報は通信部４０を介して監視装置２から制御部４４に供給される。
【００５２】
記憶部４１は、ハードディスクや半導体メモリなどの記憶装置より構成されるものであって、監視装置１を動作させるためのプログラムやデータが格納される。プログラムとして、制御部４４の各機能部を実現するためのプログラム５０が記憶部４１に予め格納される。プログラム５０は、記録媒体を通じてユーザに提供されてもよく、また、インターネットに代表されるネットワークを通じてユーザに提供されてもよい。通信部４０を介して供給された管理情報は制御部４４によって変更通知管理用テーブル５１に格納される。この変更通知管理用テーブル５１には、フラグ情報、ＩＰアドレス情報２０、シーケンス番号情報２１、状態情報２２が格納される。
【００５３】
入力部４２は、キーボードやマウスなどに代表される入力装置である。出力部４３は、ディスプレイ装置やプリンタに代表される出力装置である。
【００５４】
制御部４４は、記憶部４１に格納されたプログラムに従って動作し、入力部４２からの入力を受け付けて各部の動作を制御すると共に、無線アクセス装置３，４の監視に必要な機能を提供する。制御部４４は、プログラム５０により提供される主要な機能部として、管理情報を取得するための取得部４５、管理情報を補完するための補完部４６、管理情報の読み出しや書き込みを行なうためのテーブル制御部４７、管理情報の欠落を判断するための欠落判断部４８を備える。
【００５５】
なお、図５は監視装置１の構成を示したが、監視装置２も、監視装置１と同様に、通信部、記憶部、入力部、出力部、および制御部で構成される。
【００５６】
本実施形態では、監視装置１は、無線アクセス装置３からの管理情報の取得を契機に、管理情報の欠落を判断する場合と、監視装置２からの問い合わせを契機に管理情報の欠落を判断する場合とがある。
【００５７】
まず、図６を参照して、監視装置１が無線アクセス装置３からの管理情報の取得を契機に管理情報の欠落を判断する動作を説明する。
【００５８】
図６は監視装置がＴＲＡＰメッセージ（管理情報）を無線アクセス装置から取得して他の監視装置に管理情報を問い合わせるときの監視システムの動作を示すフローチャートである。
【００５９】
取得部４５は通信部４０を介してＴＲＡＰメッセージとして管理情報を取得する（ステップ１００）。続いて、欠落判断部４８は、取得部４５で取得された管理情報に含まれるシーケンス番号と変更通知管理用テーブル５１に格納されているシーケンス番号とを比較し、シーケンス番号が連番であるか否かを判断する（ステップ１０１）。
【００６０】
欠落判断部４８でシーケンス番号が連番であると判断すれば、処理を終了する。欠落判断部４８でシーケンス番号が連番でないと判断されれば、補完部４６は、通信部４０を介して欠落したシーケンス番号を監視装置２に送信する（ステップ１０２）。
【００６１】
監視装置２の欠落判断部は、補完部４６からのシーケンス番号が自装置の変更通知管理用テーブルに格納されているか否かを判定する（ステップ１０３）。
【００６２】
監視装置２の欠落判断部でシーケンス番号が一致していると判定されれば、監視装置２の補完部は欠落した識別情報を含む管理情報を補完部４６に送信する（ステップ１０４）。テーブル制御部４７は補完部４６で受信した管理情報を変更通知管理用テーブル５１に格納する（ステップ１０５）。
【００６３】
監視装置２の欠落判断部でシーケンス番号が一致していないと判定されれば、監視装置２の補完部は、その旨を示す不一致信号を補完部４６に送信する（ステップ１０６）。補完部４６は、不一致信号を受信すると、無線アクセス装置３から該当する管理情報を取得する（ステップ１０７）。テーブル制御部４７は補完部４６で受信した管理情報を変更通知管理用テーブル５１に格納する（ステップ１０８）。
【００６４】
次に、上述のフローチャートで示した監視システムの動作の一例を具体的に説明する。無線アクセス装置が、シーケンス番号＃１〜＃８の管理情報をネットワーク上に送出し、監視装置１が、シーケンス番号＃１〜＃６を受信し、監視装置２が、シーケンス番号＃１〜＃７を受信した状態にあるものと仮定する。監視装置１の変更通知管理用テーブル５１には、シーケンス番号＃１〜＃６の管理情報が格納されている。監視装置２の変更通知管理用テーブル５１には、シーケンス番号＃１〜＃７の管理情報が格納されている。
【００６５】
以下、上記の状態において、監視装置１，２のそれぞれが、無線アクセス装置３からシーケンス番号＃９の管理情報をＴＲＡＰメッセージとして取得した場合の動作を具体的に説明する。
【００６６】
監視装置１では、取得部４５が、無線アクセス装置からシーケンス番号＃９の管理情報を取得し、取得した管理情報を変更通知管理用テーブル５１に格納するとともに、取得した管理情報に含まれるＩＰアドレスから無線アクセス装置３を特定する。
【００６７】
続いて、欠落判断部４８が、取得部４５で取得された管理情報に含まれるシーケンス番号＃９と変更通知管理用テーブル５１に格納されているシーケンス番号＃１〜＃６とを比較し、シーケンス番号が連番でないと判断する。そして、補完部４６が、無線アクセス装置３のＩＰアドレスと欠落しているシーケンス番号＃７〜＃８を含む同期確認信号を監視装置２に送信する。
【００６８】
監視装置２では、取得部４５が、監視装置１から供給された同期確認信号からＩＰアドレスとシーケンス番号＃７〜＃８とを抽出する。続いて、テーブル制御部４７が、自装置内の変更通知管理用テーブル５１を参照して、同期確認信号から抽出したＩＰアドレスに基づいて無線アクセス装置３に関する情報（シーケンス番号＃１〜＃７、＃９のデータ情報）を抽出する。
【００６９】
続いて、欠落判断部４８が、同期確認信号から抽出したシーケンス番号＃７〜＃８と変更通知管理用テーブル５１から抽出したシーケンス番号＃１〜＃７、＃９とが一致するか否かを判断する。この場合は、同期確認信号から抽出したシーケンス番号＃７は、変更通知管理用テーブル５１から抽出したシーケンス番号＃７と一致することになるが、同期確認信号から抽出したシーケンス番号＃８は、変更通知管理用テーブル５１から抽出したシーケンス番号と一致しない。
【００７０】
一致したシーケンス番号＃７について、補完部４６は、変更通知管理用テーブル５１からシーケンス番号＃７を含む管理情報を取り出し、その取り出した管理情報を監視装置１に送信する。また、一致しないシーケンス番号＃８について、補完部４６は、ＩＰアドレス（無線アクセス装置３）とシーケンス番号＃８を含む不一致信号を監視装置１に送信する。
【００７１】
監視装置１では、シーケンス番号＃７を含む管理情報を監視装置２から受信すると、テーブル制御部４７が、その受信した管理情報を自装置内の変更通知管理用テーブル５１に格納する。
【００７２】
また、監視装置１では、同期確認信号の応答として不一致信号を監視装置２から受信すると、補完部４６が、その受信した不一致信号からＩＰアドレスとシーケンス番号＃８を抽出し、抽出したＩＰアドレスを用いて、無線アクセス装置３へシーケンス番号＃８を含むＧＥＴメッセージを送信する。
【００７３】
無線アクセス装置３は、監視装置１からＧＥＴメッセージを受信し、受信したＧＥＴメッセージに含まれているシーケンス番号＃８に基づいて、自装置内に保持している管理情報から該当する管理情報を抽出する。そして、無線アクセス装置３は、その抽出した管理情報を含む応答メッセージを監視装置１に送信する。
【００７４】
監視装置１では、応答メッセージを無線アクセス装置３から受信すると、テーブル制御部４７が、その受信した応答メッセージからシーケンス番号＃８の管理情報を取り出し、その取り出した管理情報を自装置内の変更通知管理用テーブル５１に格納する。
【００７５】
以上の処理により、監視装置１は、欠落したシーケンス番号＃７の管理情報を監視装置２から取得することができ、また、欠落したシーケンス番号＃８の管理情報を無線アクセス装置３から取得することができる。
【００７６】
なお、上述の処理は、監視装置１から監視装置２に管理情報を問い合わせるときの処理であるが、監視装置２から監視装置１に管理情報を問い合わせるときの処理も同様に行われる。
【００７７】
次に、図７を参照して、監視装置２が監視装置１からの問い合わせを契機に管理情報の欠落を判断する動作を説明する。
【００７８】
図７は各監視装置がお互いに管理情報を定期的に問い合わせるときの監視システムの動作を示すフローチャートである。
【００７９】
テーブル制御部４７は、変更通知管理用テーブル５１のフラグを定期的に参照する（ステップ２００）。テーブル制御部４７は、変更通知管理用テーブル５１から「１」のフラグを検出すると、ステップ２００に戻る。テーブル制御部４７は、変更通知管理用テーブル５１から「０」のフラグを検出すると、そのフラグに関連付けられているシーケンス番号を抽出する（ステップ２０１）。続いて、補完部４６は、テーブル制御部４７で抽出されたシーケンス番号を監視装置２に送信する（ステップ２０２）。
【００８０】
監視装置２の欠落判断部は、監視装置１から受信したシーケンス番号と自装置の変更通知管理用テーブル５１に格納されているシーケンス番号とが一致するか否かを判断する（ステップ２０３）。
【００８１】
監視装置２の補完部は、監視装置２の欠落判断部で一致していると判断されれば、一致したシーケンス番号を含む一致信号を監視装置１に送信する（ステップ２０４）。一致信号を監視装置２から受信すると、テーブル制御部４７は、一致信号に含まれるシーケンス番号を含む管理情報のフラグを「０」から「１」に更新する（ステップ２０５）。
【００８２】
監視装置２の補完部は、監視装置２の欠落判断部で一致しないと判断されれば、監視装置１に一致しないシーケンス番号を含む不一致信号を送信する（ステップ２０６）。
【００８３】
監視装置２から不一致信号を受信すると、テーブル制御部４７は、フラグを維持すると共に、不一致信号に含まれるシーケンス番号から管理情報を変更通知管理用テーブル５１から抽出する（ステップ２０７）。補完部４６は、変更通知管理用テーブル５１から抽出された管理情報を監視装置２に送信する（ステップ２０８）。
【００８４】
管理情報を監視装置１から管理情報を受信すると、監視装置２のテーブル制御部４７は、自装置の変更通知管理用テーブル５１に受信した管理情報を格納する（ステップ２０９）。
【００８５】
次に、上述のフローチャートで示した監視システムの動作の一例を具体的に説明する。無線アクセス装置が、シーケンス番号＃１〜＃８の管理情報をネットワーク上に送出し、監視装置１が、シーケンス番号＃１〜＃６を受信し、監視装置２が、シーケンス番号＃１〜＃７を受信した状態にあるものと仮定する。監視装置１の変更通知管理用テーブル５１には、シーケンス番号＃１〜＃６の管理情報が格納されている。監視装置２の変更通知管理用テーブル５１には、シーケンス番号＃１〜＃５の管理情報が格納されている。シーケンス番号が＃１〜＃４までの管理情報については、監視装置１と監視装置２との間で同期が取れており、それらのフラグは「１」である。一方、シーケンス番号＃５〜＃６の管理情報については、監視装置１と監視装置２との間で同期の確認が行なわれておらず、それらのフラグは「０」である。
【００８６】
以下、上記の状態において、監視装置１から監視装置２に管理情報を問い合わせる場合の動作を具体的に説明する。
【００８７】
監視装置１では、テーブル制御部４７が、変更通知管理用テーブル５１のフラグを定期的に参照し、「０」のフラグに関連付けられているＩＰアドレス（無線アクセス装置３）とシーケンス番号＃５〜＃６を抽出する。補完部４６は、テーブル制御部４７で抽出されたＩＰアドレスとシーケンス番号＃５〜＃６を含む同期未確認信号として監視装置２に送信する。
【００８８】
監視装置２では、取得部４５が、監視装置１から受信した同期未確認信号からＩＰアドレスとシーケンス番号＃５〜＃６とを抽出する。続いて、テーブル制御部４７が、自装置内の変更通知管理用テーブル５１を参照して、同期未確認信号から抽出したＩＰアドレスに基づいて無線アクセス装置３に関する情報（シーケンス番号＃１〜＃５のデータ情報）を抽出する。続いて、欠落判断部４８が、同期未確認信号から抽出したシーケンス番号＃５〜＃６と変更通知管理用テーブル５１から抽出したシーケンス番号＃１〜＃５とが一致するか否かを判断する。この場合は、同期未確認信号から抽出したシーケンス番号＃５は、変更通知管理用テーブル５１から抽出したシーケンス番号＃５と一致することになるが、同期未確認信号から抽出したシーケンス番号＃６は、変更通知管理用テーブル５１から抽出したシーケンス番号と一致しない。
【００８９】
一致したシーケンス番号＃５について、補完部４６は、ＩＰアドレス（無線アクセス装置３）とシーケンス番号＃５を含む一致信号を監視装置１に送信する。また、一致しないシーケンス番号＃６について、補完部４６は、ＩＰアドレス（無線アクセス装置３）とシーケンス番号＃６を含む不一致信号を監視装置１に送信する。
【００９０】
監視装置１では、一致信号を監視装置２から受信すると、テーブル制御部４７が、シーケンス番号＃５の管理情報のフラグを「０」から「１」に更新する。
【００９１】
また、同期未確認信号の応答として不一致信号を監視装置２から受信すると、補完部４６が、その受信した不一致信号からＩＰアドレスとシーケンス番号＃６を抽出する。続いて、テーブル制御部４７が、不一致信号から抽出したＩＰアドレスとシーケンス番号を含む管理情報を変更通知管理用テーブル５１から抽出する。そして、補完部４６が、テーブル制御部４７で抽出した管理情報を監視装置２に送信する。
【００９２】
監視装置２では、テーブル制御部４７が、シーケンス番号＃６の管理情報を監視装置１から受信し、自装置の変更通知管理用テーブル５１にその受信した管理情報を格納する。
【００９３】
以上の処理により、監視装置２は、監視装置１からシーケンス番号＃６の問い合わせを受けることによって、自装置でシーケンス番号＃６が欠落していることを判断し、自装置に欠落したシーケンス番号を含む管理情報を監視装置１から取得することができる。
【００９４】
なお、上述の処理は、監視装置１から監視装置２にシーケンス番号を問い合わせるときの処理であるが、監視装置２から監視装置１にシーケンス番号を問い合わせるときの処理も同様に行われる。
【００９５】
また、上述の処理では、監視装置２は、監視装置１から欠落した管理情報（シーケンス番号＃６）受信し、自装置の変更通知管理用テーブルに欠落した管理情報を格納しても、監視装置２におけるフラグの処理は行われていないが、監視装置２は、欠落した管理情報を自装置の変更通知管理用テーブルに格納するときに、合わせて「１」のフラグを変更通知用テーブルに格納するようにしてもよい。
【００９６】
また、上述の処理では、監視装置１は、一致信号を受信したときにはフラグの更新（「０」から「１」）を行なうが、不一致信号を受信したときは管理情報を監視装置２に送信しても、フラグ「０」が維持されてしまう。そこで、監視欠落したシーケンス番号（例えば、＃６）を含む管理情報を監視装置２に送信するときに、欠落したシーケンス番号を含む管理情報のフラグを「０」から「１」更新するようにしてもよい。あるいは、監視装置１は監視装置２に定期的に管理情報を問い合わせているので、再度、監視装置２に管理情報の問い合わせた場合に、同期の確認が取れれば、フラグを「０」から「１」に更新するようにしてもよい。
【００９７】
また、上述の処理では、監視装置１から監視装置２へ同期未確認信号が送られた後に、監視装置１の電源断や有線ネットワーク１０が切断されてしまうことがある。この場合、監視装置２は、自装置で管理情報が欠落していると判断しても、監視装置１から欠落した管理情報を取得できない。この場合、監視装置２は、同期確認信号に含まれるＩＰアドレスとシーケンス番号から無線アクセス装置３にアクセスし、無線アクセス装置３から欠落した管理情報を取得するようにしてもよい。
【００９８】
以上説明したように、本実施形態によれば、ネットワーク障害が原因で管理情報が欠落した場合に、監視装置１，２がＧＥＴメッセージを無線アクセス装置３に送らなくても、管理情報に含まれる識別情報に基づいて監視装置１，２の間で管理情報を補完することができる。他の監視装置から取得することができた管理情報については、監視装置から無線アクセス装置へのＧＥＴメッセージの送信が不要となるので、その分、無線アクセス装置におけるＧＥＴメッセージの処理量が軽減される。このように、無線アクセス装置におけるＧＥＴメッセージの処理量を軽減することができるので、無線アクセス装置に要求される処理能力を低く設定することが可能となる、という効果を奏する。
【００９９】
また、監視装置１から監視装置２に管理情報の問い合わせが行なわれた場合に、ネットワーク障害が原因で欠落した管理情報を監視装置１が取得していれば、監視装置２は欠落した管理情報を監視装置１から取得する。これによれば、監視装置２は無線アクセス装置３にＧＥＴメッセージを送信する必要がないので、監視装置と無線アクセス装置との間のネットワークの負荷が軽減される。
【０１００】
また、監視装置１と監視装置２とは、インターネットなどの有線ネットワークの一部を介してお互いに接続されているので、専用回線で接続される必要がなく、専用回線の設置や専用回線の維持にかかるコストを削減できる。
【０１０１】
また、変更通知管理用テーブルが監視装置のメモリ上で作成される構成の場合に、変更通知管理用テーブルに管理情報が格納されると、メモリ領域が消費される。そして、格納される管理情報が増加すると、メモリ領域が大量に消費されることになる。その結果、メモリ領域が不足し、新しい管理情報が格納できなくなってしまう。このため、監視装置１は、古い管理情報を変更通知管理用テーブルから削除するようにしてもよい。これによれば、メモリ領域が不足することを防止できる。
【０１０２】
例えば、監視装置１には、管理情報を削除するための削除時間が記録されている。監視装置１は、管理情報を取得すると、管理情報を取得した時刻を管理情報と共に変更通知用テーブルに格納する。そして、監視装置１は、管理情報を取得した時刻と現在の時刻との差（時間差）が削除時間を超えれば、その管理情報を削除する。この動作によれば、一定時間格納されたデータは削除されることになるので、その分、変更通知用テーブル用のメモリの容量を小さくすることができる。
【０１０３】
また、監視装置１は、管理情報を取得すると、取得した管理情報を変更通知用テーブルに格納すると共にメモリの空き領域を計測する。また、監視装置１は、新たな管理情報を取得した場合に、計測した空き容量がすでにしきい値に達している場合は、その新たな管理情報を格納するための容量を確保するために、変更通知用テーブルに格納されている管理情報を古いものから順に削除する。
【０１０４】
また、無線アクセス装置についても、上述で説明した同様の処理によって古い管理情報を内部から削除するようにしてもよい。
【０１０５】
また、監視装置は、ＳＮＭＰを用いて無線アクセスを監視し、無線アクセス装置から送信されるＳＮＭＰのＴＲＡＰにより、無線アクセス装置の内部状態を検知する。その際、ＳＮＭＰはＵＤＰを使用したコネクションレス型の通信であるので、ネットワークの輻輳が原因でＴＲＡＰメッセージである管理情報が欠落する。本実施形態によれば、上述のように管理情報が欠落した場合でも、監視装置は、管理情報に含まれるシーケンス番号に基づいて他の監視装置から管理情報を取得することができる。
【０１０６】
また、本実施形態では、無線ネットワークを形成する無線アクセス装置を用いる例を示したが、本発明はこれに限定されない。例えば、ルータなどに代表されるネットワーク機器を用いてもよい。この場合、各監視装置は、図６および図７で示した同様の動作によって、ネットワーク機器の管理情報を補完することとなる。
【０１０７】
また、本実施形態では、２台の監視装置を用いる例を示したが、本発明はこれに限定されない。例えば、複数台の監視装置を用いてもよい。この場合、各監視装置は、図６および図７で示した同様の動作によって、欠落した管理情報を補完することができる。
【０１０８】
また、本実施形態では、２台の無線アクセス装置を用いる例を示したが、本発明はこれに限定されない。例えば、２台以上の複数の無線アクセスを用いてもよい。この場合、監視装置は、図６および図７で示した同様の動作によって、それぞれの無線アクセス装置の管理情報を監視することができる。
【０１０９】
（第２の実施形態）
図８は、本発明の第２の実施形態における監視システムの構成を示すブロック図である。
【０１１０】
第２の実施形態は、監視装置１と監視装置２との間が専用線１４を介して接続されている点で第１の実施形態と異なる。
【０１１１】
監視システムは、監視装置１，２、無線アクセス装置３，４，７，８、ルータ機器５，６を有する。監視装置１，２は専用線１４を介して接続される。また、監視装置１はルータ機器５を介して無線アクセス装置３に接続され、監視装置２はルータ機器６を介して無線アクセス装置８に接続される。無線アクセス装置４と無線アクセス装置７とは有線ネットワークを介して接続される。無線アクセス装置３と無線アクセス装置４とは無線ネットワークを介して接続され、無線アクセス装置７と無線アクセス装置８とは無線ネットワークを介して接続される。
【０１１２】
無線アクセス装置３は第１の局舎（不図示）に設置される。無線アクセス装置４と無線アクセス装置７は第２の局舎（不図示）に設置される。無線アクセス装置８は第３の局舎（不図示）に設置される。
【０１１３】
無線アクセス装置３，４，７，８は、第１の実施形態の無線アクセス装置と同一の構成を有する。無線アクセス装置３，４，７，８のそれぞれは、管理情報を保持し、保持している管理情報を監視装置１，２のそれぞれに提供する。例えば、無線アクセス装置４は、無線アクセス装置３およびルータ機器５を介して管理情報を監視装置１に提供すると共に、無線アクセス装置７，８およびルータ機器６を介して管理情報を監視装置２に提供する。
【０１１４】
監視装置１，２は、第１の実施形態の図５で示した監視装置と同一の構成を有する。
【０１１５】
監視装置１は、無線アクセス装置３，４，７，８から受信した管理情報の識別情報（シーケンス番号）に欠落がある場合は、欠落した識別情報の管理情報を監視装置２から取得する。
【０１１６】
具体的に、監視装置１は、図６で示したように、無線アクセス装置４からＴＲＡＰメッセージ（管理情報）を取得すると、取得した管理情報に含まれるシーケンス番号が連番であるか否かを判断する。監視装置１は、シーケンス番号が連番でないと判断すれば、専用線１４を介してそのケーシンス番号を監視装置２に送信し、欠落したシーケンス番号を含む管理情報を監視装置２から取得する。
【０１１７】
また、監視装置１は、図７で示したように、専用線１４を介して監視装置２に同期未確認信号を定期的に送信することによって、監視装置２との管理情報の問い合わせを行なう。監視装置２は、監視装置１から同期未確認信号を受信すると、受信した同期未確認信号に含まれるシーケンス番号から管理情報の欠落を判断する。監視装置２は、シーケンス番号が欠落していると判断すれば、その欠落した管理情報を監視装置１から取得する。
【０１１８】
また、監視装置２は、無線アクセス装置３，４，７，８のいずれかの無線アクセス装置から受信した管理情報の識別情報（シーケンス番号）に欠落がある場合は、上述で示したように、欠落した管理情報を監視装置１から取得する。
【０１１９】
管理情報が欠落する一例として、無線アクセス装置４と無線アクセス装置７との間の有線ネットワークに断線などの障害が発生したケースを挙げて、そのときの監視システムの動作を、以下に詳細に説明する。
【０１２０】
有線ネットワークに断線などの障害が発生した場合、監視装置１では、無線アクセス装置３，４からの管理情報の取得が可能であるが、無線アクセス装置７，８からの管理情報の取得が不可能である。そのため、監視装置１では、無線アクセス装置７，８からの管理情報が欠落してしまう。
【０１２１】
この場合、監視装置１は、専用線１４を介して監視装置２から同期未確認信号を定期的に受信し、受信した同期未確認信号に含まれるＩＰアドレスとシーケンス番号から、無線アクセス装置７からの管理情報が欠落していることを判断する。そして、監視装置１は、専用線１４を介して監視装置２から欠落した管理情報を取得する。
【０１２２】
また、障害の復旧後、監視装置１は、無線アクセス装置７からＴＲＡＰメッセージとして管理情報を取得すると、管理情報に含まれるシーケンス番号が連番でないので、監視装置２から欠落した管理情報を取得する。
【０１２３】
同様に、この有線ネットワークに断線などの障害が発生した場合、監視装置２では、無線アクセス装置７，８からの管理情報の取得が可能であるが、無線アクセス装置３，４からの管理情報の取得が困難である。そのため、監視装置２では、無線アクセス装置３，４からの管理情報が欠落してしまう。この場合も、上述で示したように監視装置２は専用線１４を介して監視装置１から欠落した管理情報を取得することができる。
【０１２４】
上記の動作によれば、有線ネットワークに障害が発生した状態においても、監視装置１，２のそれぞれにおいて、全ての無線アクセス装置からの管理情報が欠落することなく表示される。したがって、有線ネットワークに障害が発生した場合でも、監視装置１，２の各管理者は、全ての無線アクセス装置の監視を継続して行うことができる。なお、監視装置間での定期通信による管理情報の補完処理（図７の処理）を用いない場合は、有線ネットワークの障害が発生した場合に管理情報の補完処理が行われないため、各管理者は、ネットワークの障害が復旧するまで、欠落した管理情報を確認することはできない。
【０１２５】
なお、本実施形態では、監視装置１と監視装置２とが専用線１４で接続される例を示したが、本発明はこれに限られない。例えば、ルータ機器５とルータ機器６とがインターネットなどのネットワークで直接接続されるようにしてもよい。この場合、監視装置１と監視装置２とが専用線１４を介してお互いに問い合わせをすることができないことを検出すると、インターネットを介してお互いに問い合わせるようにする。これによれば、専用線１４に断線などの障害が発生しても、監視装置１，２はインターネットを介してお互いに欠落した管理情報を問い合わせることができるので、管理情報が欠落した場合でも、その欠落した管理情報を互いから取得することができる。
【図面の簡単な説明】
【０１２６】
【図１】本発明の第１の実施形態における監視システムの構成を示すブロック図である。
【図２】本発明の第１の実施形態における監視システムの構成を詳細に示すブロック図である。
【図３】本発明の第１の実施形態における管理情報のデータ構造を示す図である。
【図４】監視装置における変更通知管理用テーブルのデータ構造を示す図である。
【図５】本発明の第１の実施形態における監視装置の構成を示すブロック図である。
【図６】監視装置がＴＲＡＰメッセージとして管理情報を無線アクセス装置から取得して他の監視装置に管理情報を問い合わせるときの監視システムの動作を示すフローチャートである。
【図７】各監視装置がお互いに管理情報を問い合わせるときの監視システムの動作を示すフローチャートである。
【図８】本発明の第２の実施形態における監視システムの構成を示すブロック図である。
【図９】特許文献１に記載された監視システムの構成を示すブロック図である。
【符号の説明】
【０１２７】
１，２    監視装置
３，４，７，８    無線アクセス装置
５，６    ルータ機器
４０      通信部
４１      記憶部
４２      入力部
４３      出力部
４４      制御部
４５      取得部
４７      テーブル制御部
４８      欠落判断部
５０      プログラム
５１      変更通知用管理テーブル
１００〜１０８，２００〜２０９  ステップ
【図１】
2009206731.tif 000003
【図２】
2009206731.tif 000004
【図３】
2009206731.tif 000005
【図４】
2009206731.tif 000006
【図５】
2009206731.tif 000007
【図６】
2009206731.tif 000008
【図７】
2009206731.tif 000009
【図８】
2009206731.tif 000010
【図９】
2009206731.tif 000011